(57)【要約】      （修正有）【課題】  運転者の意志を瞬時に有効且つ適切に相手に伝えるための信号の表示方法およびその信号灯およびその信号手段を備えた車両を提供する。【解決手段】  ハート形形状を備えた発光面を点滅させてなる車両の信号の表示方法およびその信号灯およびその信号手段を備えた車両。信号灯は車両の前面に設けてもよいし光面でもよい。必要に応じてＴＨＡＮＫＳ，ＳＯＲＲＹとかの文字を入れ、その付近にハート形形状の発光面を設けてもよい。なお、点滅は一定時間後に自動的に終了するようにすることも出来る。【選択図】  図２
2006069513.tif 000002
【特許請求の範囲】
【請求項１】
ハート形形状を備えた発光面を点滅させてなる車両における信号の表示方法およびその信号灯。
【請求項２】
運転者の意思を表す文字を備えた事を特徴とする請求項１の信号の表示方法およびその信号灯。
【請求項３】
「請求項１」および「請求項２」記載の信号手段を備えたことを特徴とする車両。
【発明の詳細な説明】
【発明の詳細な説明】
【技術分野】
【０００１】  本発明は、車両の運行時において、安全で快適な運行状態を確保する上で有効な運転者の意思を第三者に伝えるための信号の表示方法およびその信号灯およびその信号手段を備えた車両に関する。
【背景技術】
【０００２】  従来、車両において、その運行時にたとえば進路を譲られた場合、あるいは他者に迷惑を掛けた場合等に相手に対して感謝あるいは、お詫び等の運転者の意思を伝えるための有効で適切な信号手段を持たなかった。
【発明が解決しようとする課題】
【０００３】  車両の安全で快適な運行状態を確保するためには、運行関係者相互の良好且つ友好的な関係が必要であり、このような関係を保つためには一般社会同様、車社会においても運行関係者相互のあいさつ等の各種のコミュニケーションが不可欠である。
【０００４】  本発明は、車両の運行関係者相互の良好且つ友好的な関係を保つと共に、安全で快適な運行状態を確保する上で重要な、運転者の意思を瞬時に有効且つ適切に相手に伝えるための信号の表示方法およびその信号灯およびその信号手段を備えた車両を提供しようとするものである。
【課題を解決するための手段】
【０００５】  本発明は、ハート形形状を備えた発光面を点滅させてなる車両における信号の表示方法およびその信号灯およびその信号手段を備えた車両に係る。
【発明を実施するための最良の形態】
【０００６】  以下に本発明の一実施形態を添付図面に基づき説明すると次の通りである。【０００７】  図１は、信号灯の信号表示面の一例を示す斜視図で、信号灯１の信号表示面２の中にハート形形状部３が配置され、該ハート形形状部３を点滅させて信号の発信を行うものである。【０００８】  点滅は、ハート形形状部３のみでも良いし、信号表示面２全体の点滅を行いハート形形状部３と他の部分を色違いにしても良い。【０００９】  該信号灯１は、車両の車内又は車外の、外部から確認容易な位置に配置される。【００１０】  図２は、乗用車５の後部正面図で、該信号灯１がリアーウィンドー４の車内側に配置された例を示すもので、必要に応じて運転席周辺に配置されたスイッチを操作する事によりハート形形状部３の点滅を行う。【００１１】  図中、６はテールランプ、７はバンパー、８はナンバープレート、２１はタイヤを示す。【００１２】  該信号灯１のハート形形状部３を点滅させる事により、相手に対する信号の送り手の意思の表示が明確になると共に、ハート形形状に対して一般的に持たれる真摯なイメージから、信号の受け手である相手は、送り手の心からの謝意等の気持ちを瞬時に感じ取ることができるので、送り手の意思を良好且つ容易に相手に伝えることが出来るものである。【００１３】  点滅は、スイッチ“入り”後、タイマー等により一定時間後に自動的に停止する様にしておけば、その都度スイッチの“切”操作をする必要が無くなり車両運転中の余分な操作を無くす事が出来る。【００１４】  又、ハート形形状部３の数は特に限定されるものでは無く、意匠等により適宜数が配置されれば良い。【００１５】  図３は、乗用車の後部正面図で、信号灯が車両外部に配置された例を示すものでハート形形状部３がテールランプ６の一部に配置された例を示す。【００１６】  同じく、車両外部にハート形形状部３が配置された例として、図４に車両５の後面の車体の一部に配置されたものが示されている。【００１７】  同じく、図５は乗用車５の前部正面の車体の一部にハート形形状部３が配置された例を示すもので、９はフロントガラス、１０はヘッドライトを示す。【００１８】  なお、該信号灯が車両に配置される位置は、特に限定されるものでは無く、意匠等により外部から確認容易な位置に配置されれば良い。【００１９】  図６は、運転者の意思を表す文字をそなえた信号灯の例を示すもので、信号灯１１の信号表示面２がハート形形状部３と感謝を表す文字１５の各発光部からなるもので、ハート形形状の持つ真摯なイメージと文字による直接の表現によって、信号の送り手側の気持ちがより一層はっきりと相手に伝わる効果がある。【００２０】  使用形態は、ハート形形状部３と文字１５を同時に点滅させても良いが、ハート形形状部３を点滅させ、文字１５のみを点灯状態もしくはハート形形状部３より長時間点灯の点滅を行えば、信号の受け手側が文字１５の確認を一層容易に行えるので効果的である。【００２１】  図１０は、ハート形形状部３と感謝を表す文字１５を備えた信号灯１１を、乗用車５のリアーウィンドー４の車内側に配置した例を示す。【００２２】  図７は、運転者の意思を表す文字を備えた信号灯の他の例を示すもので、ハート形形状部��とお詫びの意を表す文字１６の各発光部からなり、車道上に停車した場合等、他の車両等の道路通行の障害となる様な状況下において、道路通行者に対してお詫びの意を伝えたい場合に使用するものである。【００２３】  車両の内、例えば旅客車両が旅客乗降のために停車した時、あるいは貨物車両等の荷おろし、又は配達のための停車時に特に有効であり、第三者に対して良好且つ友好的にお詫びの意を伝えることができるものである。【００２４】  図１１は、ハート形形状部３とお詫びの意を表す文字１６を備えた信号灯１２をタクシー車両２２のリアーウィンドー４の車内側に配置した例を示したものである。【００２５】  図８は、運転者の意志を表す文字を備えた信号灯のさらに他の例を示すもので、ハート形形状部３と緊急時の救助を表す文字１７の発光部から成り、例えば、旅客車両等において車内で緊急事態が発生し、その発生状況により停車する事が困難な場合に、車外の第三者に救助を求める場合に使用するものである。【００２６】  ハート形形状部３の信号色を例えば危険を表す赤色、文字１７を注意を表す黄色にして適宜点滅を行えば第三者の注意を引きやすく、ハート形形状の持つ真摯なイメージと、緊急時の救助を表す文字の直接表現の相互効果により、緊急事態である事を周囲の第三者に、より大きく効果的に訴える事が出来るものである。【００２７】  なお、信号灯の色は効果的に訴えるために有効なものであれば何色でも良く、特に限定されるものではない。【００２８】  図１２は、ハート形形状部３と緊急時の救助を表す文字１７を備えた信号灯１３をタクシー車両２２の屋根部１９に配置した例を示す。【００２９】  図１３は、該救助を求めるための信号灯１３を、バス車両２０の後面の一部に配置した例を示す。【００３０】  図９は、運転者の意志を表す文字を備えた信号灯のさらに他の例を示すもので、ハート形形状部３と譲歩を表す文字１８の各発光部から成り、積極的に進路を譲る場合に使用するもので、譲る側の意思が明確に相手に伝わるので、双方の勘違いによる衝突事故を防止出来る効果がある。【００３１】  図１４は、ハート形形状部３と譲歩を表す文字１８を備えた信号灯１４を、乗用車５のフロントガラス９の車内側に配置した例を示す。
【発明の効果】
【００３２】  本発明における信号の表示方法およびその信号灯およびその信号手段を備えた車両によれば、運行関係者相互の良好且つ友好的なコミュニケーションを取る事が可能になるため、関係者相互の意思の疎通が飛躍的に促進されるので、時に応じて該信号灯を使用する事により、送り手側の真摯な、心からの感情と意思を瞬時に相手に伝える事が出来る。
【００３３】  このため、時として発生していた運行者双方の理解不足による運行上のトラブルから、双方が感情的にこじれ、危険な運転状態におよぶと言う事も無くなり、双方の良好な関係を保つことが可能となる。
【００３４】  又、旅客車両等における車内での緊急事態等においても、走行を続けながらでも効果的に第三者に救助を求める事が可能となる。
【００３５】  以上のごとく本発明は、車社会における安全で快適な運行環境を実現する上で非常に大きな効果を発揮するものである。
【図面の簡単な説明】
【図１】  信号表示面の一例を示す信号灯の斜視図である。
【図２】  信号灯が配置された例を表す乗用車の後部正面図である。
【図３】  ハート形形状部がテールランプに配置された例を示す乗用車の後部正面図である。
【図４】  ハート形形状部が車体の一部に配置された例を示す乗用車の後部正面図である。
【図５】  ハート形形状部が車体の一部に配置された例を示す乗用車の前部正面図である。
【図６】  感謝を表す文字を備えた例を示す信号灯の斜視図である。
【図７】  お詫びの意を表す文字を備えた例を示す信号灯の斜視図である。
【図８】  救助を表す文字を備えた例を示す信号灯の斜視図である。
【図９】  譲歩を表す文字を備えた例を示す信号灯の斜視図である。
【図１０】  感謝を表す文字を備えた信号灯を車内に配置した例を示す乗用車の後部正面図である。
【図１１】  お詫びの意を表す文字を備えた信号灯を車内に配置した例を示すタクシー車両の後部正面図である。
【図１２】  救助を表す文字を備えた信号灯をタクシー車両の屋根部に配置した例を示す車両の後部正面図である。
【図１３】  救助を表す文字を備えた信号灯をバス車両の後面に配置した例を示す車両の後部正面図である。
【図１４】  譲歩を表す文字を備えた信号灯を車内に配置した例を示す乗用車の前部正面図である。
【符号の説明】
１        信号灯
２        信号表示面
３        ハート形形状部
４        リアーウィンドー
５        乗用車
６        テールランプ
７        バンパー
８        ナンバープレート
９        フロントガラス
１０      ヘッドライト
１１      ハート形形状部と感謝を表す文字を備えた信号灯
１２      ハート形形状部とお詫びの意を表す文字を備えた信号灯
１３      ハート形形状部と救助を表す文字を備えた信号灯
１４      ハート形形状部と譲歩を表す文字を備えた信号灯
１５      感謝を表す文字
１６      お詫びの意を表す文字
１７      救助を表す文字
１８      譲歩を表す文字
１９      屋根部
２０      バス車両
２１      タイヤ
２２      タクシー車両
【図１】
2006069513.tif 000003
【図２】
2006069513.tif 000004
【図３】
2006069513.tif 000005
【図４】
2006069513.tif 000006
【図５】
2006069513.tif 000007
【図６】
2006069513.tif 000008
【図７】
2006069513.tif 000009
【図８】
2006069513.tif 000010
【図９】
2006069513.tif 000011
【図１０】
2006069513.tif 000012
【図１１】
2006069513.tif 000013
【図１２】
2006069513.tif 000014
【図１３】
2006069513.tif 000015
【図１４】
2006069513.tif 000016